(57)【要約】【解決手段】本願発明は、縁部（６）および縁部（６）をさらに包囲する外側絶縁部（５）を有する、端子（３）を含むバッテリーセル（２）を備える蓄電池ユニット（１）に関する。本願発明によれば、非導電性の弾性部材（４）がバッテリーセル（２）と絶縁部（５）との間の端子側に位置しており、端子（３）は弾性部材（４）のレベル（７）より下側になるよう配設されており、絶縁部（５）が弾性部材（４）を固定する。よって、電気的コンタクトの機械的保護とハウジング内での蓄電池ユニット（１）の安定した保持とが同時に達成される。【選択図】図２
2013520771.tif 000002
【特許請求の範囲】
【請求項１】
端子、縁部および前記縁部を包囲する外側絶縁部を有するバッテリーセルを備え、
非導電性の弾性部材が前記バッテリーセルと前記絶縁部との間の端子側に位置しており、前記端子は前記弾性部材のレベルより下側になるよう配設されており、
前記絶縁部が前記弾性部材を固定する、蓄電池ユニット。
【請求項２】
前記弾性部材が弾性的に形状可変なプラスチックで構成される、請求項１に記載の蓄電池ユニット。
【請求項３】
前記弾性部材がシリコンで構成される、請求項１に記載の蓄電池ユニット。
【請求項４】
前記バッテリーセルが回転対称である、請求項１から３のいずれか１項に記載の蓄電池ユニット。
【請求項５】
前記バッテリーセルが細長く形成され、かつ、長手方向の軸が回転軸と一致する、請求項４に記載の蓄電池ユニット。
【請求項６】
前記弾性部材が回転対称である、請求項４または５に記載の蓄電池ユニット。
【請求項７】
前記バッテリーセルの前記端子が隆起しており、前記弾性部材が前記端子より高い位置に設けられる、請求項１から６のいずれか１項に記載の蓄電池ユニット。
【請求項８】
前記弾性部材の開口部が前記端子よりもわずかに大きく形成される、請求項１から７のいずれか1項に記載の蓄電池ユニット。
【請求項９】
前記弾性部材がディスク状に形成される、請求項１から８のいずれか１項に記載の蓄電池ユニット。
【請求項１０】
ハウジングと、
１つ以上のバッテリーセルと
を備え、
前記１つ以上のバッテリーセルが前記ハウジング内に配置され、その少なくとも一部分はハウジングのカバー上及びハウジングのベース上に配置された電気回路の少なくとも部分的に強固なコンタクトによって保持され、
前記１つ以上のバッテリーセルのそれぞれが、請求項１から９のいずれか１項に記載の蓄電池ユニットの一部であるバッテリーセルを含む、蓄電池セット。
【発明の詳細な説明】
【技術分野】
【０００１】
本願発明は、縁部および縁部をさらに包囲する外側絶縁部を有する、端子を含むバッテリーセルを備える蓄電池ユニットに関する。
【背景技術】
【０００２】
正端子を負端子から分離する絶縁ケーシングを備えたバッテリーセルは周知である。この既知の種類のバッテリーセルは、電気的コンタクト用の内部コンタクトを備えたハウジング内に位置するとき、特に工業用途ツールの蓄電池の場合には、このバッテリーセルは、ハウジングのベースとカバーとに配置され、かつ、バッテリーセルをクランプする電気的コンタクトによってハウジング内に固定される。これにより例えば工業用途ツールなどの強い振動に曝されるツールにおいて、特に電気的コンタクトが機械的応力に曝され、時間が経つにつれ、ハウジング内のバッテリーセルの取り付けが緩くなるという点で不利である。複数のバッテリーセルが直列接続されている場合には、個々のバッテリーセルのコンタクト不良は、電気回路全体の遮断につながる。工業用途ツールの場合、このことにより所望されない、長時間の製造工場の操業停止へとつながる。
【発明の概要】
【発明が解決しようとする課題】
【０００３】
本願発明の目的はこの不利な点を取り除くか、少なくとも緩和することである。
【課題を解決するための手段】
【０００４】
この目的は、冒頭に述べた種類の蓄電池ユニットによって達成され、非導電性の弾性部材がバッテリーセルと絶縁部との間の端子側に位置しており、端子は弾性部材の鉛直方向のレベルより下側になるよう配設されており、絶縁部が弾性部材を固定する。
【０００５】
本願発明の利点は特に、ハウジングのカバーまたはハウジングのベースが蓄電池ユニットの弾性部材を直接押さえつけ、ハウジング内に固定したときに、電気的コンタクトの機械的保護とハウジング内の蓄電池ユニットの安定した固定とが同時に得られることにある。結果的に先行技術と対照的に、バッテリーセルをハウジング内に機械的に固定するための、電気的コンタクトが不要となる。本願発明の蓄電池ユニットにより、電気的コンタクトのみの場合に比べてはるかに大きな保持力が達成される。このことにより、ハウジング内の蓄電池ユニットのより安定した取り付け、機械的振動の緩和、およびハウジングとの全般的により強固な密着がもたらされる。
【０００６】
一般的なバッテリーセルにおいては、端子の分離は端子側面の縁部で生じるので、縁部の変形がセルの漏電へとつながりやすい。この点に関し本願発明によって達成されるさらなる利点は、弾性部材によって、バッテリーセルの端子側縁部が変形から保護される点にある。
【０００７】
弾性部材は、例えばシリコンなどの弾性的に形状可変なプラスチックから構成されるのが好ましい。
【０００８】
典型的には、バッテリーセルは、回転対称かつ細長く形成され、長手方向の軸が回転軸と一致する。さらに弾性部材も、回転対称に形成されるのが好ましい。
【０００９】
標準的なバッテリーセルの場合、１つの端子は隆起しており、弾性部材はこの端子より高い位置に設けられる。よってこの端子は、蓄電池ユニットに対して内側にオフセットされており、ハウジングのカバーまたはハウジングのベースとの電気的コンタクトのための空間が設けられる。
【００１０】
弾性部材の開口部は端子よりもわずかに大きく形成することで、弾性部材が滑らず有用であることがわかった。弾性部材は、製造が容易となるようディスク状に形成されるのが好ましい。
【００１１】
上述した蓄電池ユニットの利点によれば、ハウジングと、１つ以上のバッテリーセルとを備え、バッテリーセルがハウジング内に配置され、その少なくとも一部分はハウジングのカバー上及びハウジングのベース上に配置された電気回路の少なくとも部分的に強固なコンタクトによって保持される、蓄電池セットにおいて有利に用いられる。この種の蓄電池セットは特に高負荷の工業用途ツールにおいて有用である。
【図面の簡単な説明】
【００１２】
本願発明のさらなる特徴、利点および効果は、以下に示す例示的な実施形態によって示される。
【図１】蓄電池ユニットの側面図である。
【図２】図１のＩＩ−ＩＩ線に沿う断面図である。
【図３】図１の蓄電池ユニットの平面図である。
【図４】図２の領域ＩＶの部分拡大図である。
【発明を実施するための形態】
【００１３】
図１〜４に、本願発明の蓄電池ユニット１の例示的な実施形態を示す。蓄電池ユニット１は細長く形成され、長手方向の軸Ｘと一致する回転軸を有する回転対称なバッテリーセル２を備える。バッテリーセル２は縁部６によって縁取られ、自由に接触可能な隆起した端子３を有する。シリコンから成る非導電性の弾性部材４がバッテリーセル２の端子側面に載置され、部材は、バッテリーセル２の端子３の周囲に設けられた溝部に嵌合する突出部を備えたディスクとして形成されている。ディスク状の弾性部材４は、外側絶縁部５によってバッテリーセル２上に固定され、またこの外側絶縁部５は縁部６を包囲し、頂部と底部に穴を有する。弾性部材４は端子３よりも高く、端子３が弾性部材４のレベル７よりも低く位置し、弾性部材４の回転対称な開口部が端子３よりもわずかに大きく形成される。よって蓄電池ユニット１において端子３は、レベル７よりも内側に設けられている。ベースおよび／またはカバー上に位置する少なくとも部分的に強固なコンタクトを備えた密封可能なハウジング内にこの種類の蓄電池ユニット１が収容された場合、コンタクトを保護する弾性部材４によってクランプ及び固定が達成される。
【００１４】
上述した蓄電池ユニット１は、以下の段階により製造される。当該方法は、開口部と十分な高さを有する、シリコン製のディスク状の弾性部材４をバッテリーセル２上に載置する段階を備える。開口部がバッテリーセル２の隆起した端子３を包囲し、ディスクの高さゆえに、端子３は、ディスクのレベル７よりも下側となる。当該方法はさらに、例えば熱収縮スリーブ型の絶縁部５を取り付ける段階を備える。絶縁部５は加熱されて、ディスク状の弾性部材４をバッテリーセル２に固定すると同時に、バッテリーセル２の頂上における端子３、及び底面の一部を接触可能のままにする。
【図１】
2013520771.tif 000003
【図２】
2013520771.tif 000004
【図３】
2013520771.tif 000005
【図４】
2013520771.tif 000006
【国際調査報告】
2013520771.tif 000007
2013520771.tif 000008
2013520771.tif 000009
2013520771.tif 000010